(57)【要約】【課題】１Ｈの２５％から７５％のウィンドウを作り、このウィンドウの中に水平同期信号が存在するか否かによってフィールドの判別を行う場合、垂直同期信号の変化点が想定されるタイミングから１ラインの２５％以上前後すると、フィールドを誤判別してしまう。【解決手段】ウィンドウ生成回路２８で生成されるウィンドウを用いてモード判別回路２９で通常モード、特殊モード、無信号モードの判別を行い、その判別結果が特殊モードのときは、フィールド情報生成回路３０によって過去のフィールド情報を基に次のフィールドを予想し、そのフィールドに対応した処理を補正垂直同期信号生成回路３１で行って補正垂直同期信号（補正ｖｒｅｓ）を生成するようにする。【選択図】　　　　図１
2004080590.tif 000002
【特許請求の範囲】
【請求項１】
水平走査周波数の２倍の周波数でカウント動作を行い、フィールド内のライン数をカウントする第１のカウンタと、
前記第１のカウンタのカウント結果によってリセットされ、水平走査周波数の２倍の周波数でカウント動作を行う第２のカウンタと、
前記第２のカウンタのカウント結果に基づいて、非標準テレビジョン信号が入力されている状態である特殊モードの判別を、入力される垂直同期信号に同期して行うモード判別手段と、
前記第２のカウンタのカウント結果から過去のフィールド情報を基に次のフィールドを予想するフィールド情報生成手段と、
前記モード判別手段の判別結果が前記特殊モードのときは、前記第２のカウンタのカウント結果に基づいて、前記フィールド情報生成手段で予想されたフィールドに対応した処理を行って補正垂直同期信号を生成する補正垂直同期信号生成手段と
を備えたことを特徴とする垂直同期信号処理回路。
【請求項２】
前記モード判別手段は、前記特殊モード以外に、標準テレビジョン信号が入力されている状態である通常モードと垂直同期信号が入力されない状態である無信号モードとを判別し、
前記補正垂直同期信号生成手段は、前記モード判別手段の判別結果が前記通常モードのときおよび前記無信号モードのときは、前記第２のカウンタのカウント結果から、標準テレビジョン信号と同じ周期の補正垂直同期信号を生成する
ことを特徴とする請求項１記載の垂直同期信号処理回路。
【請求項３】
前記モード判別手段は、標準テレビジョン信号と同じ周期を示す第１のウィンドウ、標準テレビジョン信号の周期の近傍を示す第２のウィンドウおよび標準テレビジョン信号周期からずれていることを示す第３のウィンドウを生成し、
前記特殊モードのときに垂直同期信号検出パルスを連続して規定回数前記第１のウィンドウ内で検出した場合に前記通常モードに移行し、
前記通常モードのときに前記垂直同期信号検出パルスを前記第１のウィンドウ以外で検出した場合に前記特殊モードに移行し、
前記通常モードのときあるいは前記特殊モードのときに前記垂直同期信号検出パルスを連続して規定回数前記第１，第２，第３のウィンドウ内で検出しなかった場合に前記無信号モードに移行する
ことを特徴とする請求項２記載の垂直同期信号処理回路。
【請求項４】
前記モード判別手段は、前記通常モードのときに前記垂直同期信号検出パルスを前記第１のウィンドウ外であって、前記第２のウィンドウ内で検出したときは、所定の待機期間が経過した後に前記特殊モードに移行する
ことを特徴とする請求項３記載の垂直同期信号処理回路。
【請求項５】
前記フィールド情報生成手段は、入力される垂直同期信号が片フィールドのみか、両フィールドを持つかを示すフィールド情報を前記垂直同期信号検出パルスに同期して生成するフィールド情報生成部と、前記フィールド情報生成部で生成された前記フィールド情報を用いて、過去のフィールド情報から次のフィールドを予想するフィールド予想生成部とを有する
ことを特徴とする請求項１記載の垂直同期信号処理回路。
【請求項６】
入力される垂直同期信号に対してノイズ除去処理を行うノイズ処理手段を有する
ことを特徴とする請求項１記載の垂直同期信号処理回路。
【発明の詳細な説明】
【０００１】
【発明の属する技術分野】
本発明は、垂直同期信号処理回路に関し、特にＶＴＲを変速再生した場合などにおける非標準テレビジョン信号の垂直同期信号を処理するための垂直同期信号処理回路に関する。
【０００２】
【従来の技術】
同期信号を基準として処理を行う映像表示システムにおいて、奇数／偶数フィールドの判別は、垂直同期信号ＶＳＹＮＣの変化点が水平同期信号ＨＳＹＮＣの近傍にあるか、その中間にあるかによって行っていた。これを実現するために、例えば、垂直同期信号ＶＳＹＮＣでリセットされ、１Ｈ（Ｈは水平走査期間；以下、「１ライン」と記す場合もある）をカウントするカウンタを用いた場合において、図９に示すように、１Ｈの２５％〜７５％のウィンドウを作り、このウィンドウの中に水平同期信号ＨＳＹＮＣが存在するか否かによって、フィールドの判別を行う方法を用いている。また、これにより、各フィールドの垂直スタートパルスの位置を決定していた。
【０００３】
【発明が解決しようとする課題】
ところで、ＶＴＲを変速再生した場合などにおける非標準テレビジョン信号では、図１０に示すように、垂直同期信号ＶＳＹＮＣの変化点が想定されるタイミング（水平同期信号の近傍、あるいはその中間）から１ラインの２５％以上前後することがある。そのため、１Ｈの２５％から７５％のウィンドウを作り、このウィンドウの中に水平同期信号ＨＳＹＮＣが存在するか否かによってフィールドの判別を行う従来技術では、フィールドを誤判別してしまい、また表示画像がディスプレイ上で上下振動してしまう。また、間引き表示を行うシステムでは、フィールド毎に間引くラインが異なるため、間違ったラインを間引いてしまう。
【０００４】
本発明は、上記課題に鑑みてなされたものであり、その目的とするところは、ＶＴＲを変速再生した場合などにおける非標準テレビジョン信号に対して、表示画像がディスプレイ上で上下振動、あるいはフィールドの誤判別をしないようにする垂直同期信号処理回路を提供することにある。
【０００５】
【課題を解決するための手段】
本発明による垂直同期信号処理回路は、水平走査周波数の２倍の周波数でカウント動作を行い、フィールド内のライン数をカウントする第１のカウンタと、この第１のカウンタのカウント結果によってリセットされ、水平走査周波数の２倍の周波数でカウント動作を行う第２のカウンタと、この第２のカウンタのカウント結果に基づいて、非標準テレビジョン信号が入力されている状態である特殊モードの判別を、入力される垂直同期信号に同期して行うモード判別手段と、前記第２のカウンタのカウント結果から過去のフィールド情報を基に次のフィールドを予想するフィールド情報生成手段と、前記モード判別手段の判別結果が前記特殊モードのときは、前記第２のカウンタのカウント結果に基づいて、前記フィールド情報生成手段で予想されたフィールドに対応した処理を行って補正垂直同期信号を生成する補正垂直同期信号生成手段とを備えた構成となっている。
【０００６】
上記構成の垂直同期信号処理回路において、非標準テレビジョン信号が入力されている状態である特殊モードのときは、過去のフィールド情報を基に次のフィールドを予想し、そのフィールドに対応した処理を行って補正垂直同期信号を生成することで、垂直同期信号ＶＳＹＮＣの変化点が想定されるタイミング（水平同期信号ＨＳＹＮＣの近傍、あるいはその中間）から１Ｈの２５％以上前後した場合でも、安定した垂直同期信号が得られる。
【０００７】
【発明の実施の形態】
以下、本発明の実施の形態について図面を参照して詳細に説明する。
【０００８】
図１は、本発明の一実施形態に係る垂直同期信号処理回路の構成例を示すブロック図である。図１から明らかなように、本実施形態に係る垂直同期信号処理回路は、同期分離回路１１、ノイズ処理回路１２、検出処理回路１３および補正処理回路１４を有する構成となっている。
【０００９】
同期分離回路１１は、入力されるビデオ信号から垂直同期信号ＶＳＹＮＣおよび水平同期信号ＨＳＹＮＣを分離する。垂直同期信号ＶＳＹＮＣは、ノイズ処理回路１２に入力される。ノイズ処理回路１２は、ＡＮＤ回路１２１、ウィンドウ生成回路１２２およびセレクタ１２３を有する構成となっている。ＡＮＤ回路１２１は、垂直同期信号ＶＳＹＮＣを一方の入力とし、ウィンドウ生成回路１２２で生成されるウィンドウ１を他方の入力としている。ウィンドウ生成回路１２２は、標準テレビジョン信号のフィールド周期前後の幅、例えば９０％〜１１０％等の幅を持ったウィンドウ１を生成する。
【００１０】
ＡＮＤ回路１２１は、垂直同期信号ＶＳＹＮＣとウィンドウ１との論理積をとることで、ウィンドウ１内の垂直同期信号ＶＳＹＮＣのみを通過させ、それ以外はマスクする。これにより、垂直同期信号ＶＳＹＮＣ内に含まれるノイズを除去できる。セレクタ１２３は、垂直同期信号ＶＳＹＮＣとＡＮＤ回路１２１の出力信号とを選択入力とし、それらの一方をモード生成回路１５から与えられるモード信号に応じて選択して出力する。
【００１１】
モード生成回路１５は、通常モード、無信号モードおよび特殊モード（これら各モードについては後述する）の各々に対応したモード信号を出力する。セレクタ１２３は、モード生成回路１５から無信号モードを示すモード信号が与えられたときには垂直同期信号ＶＳＹＮＣを選択して出力し、通常モードおよび特殊モードを示すモード信号が与えられたときにはＡＮＤ回路１２１の出力信号を選択して出力する。
【００１２】
すなわち、ノイズ処理回路１２は無信号モード時にはマスク処理を行わない。
これは、垂直同期信号ＶＳＹＮＣが入力された時点で、後述するように無信号モードから特殊モードへ移行することになるが、無信号モード時にマスク処理がされていると、無信号モードから特殊モードへの移行が行えない可能性があるためである。なお、ウィンドウ生成回路１２２においては、特殊モード時と通常モード時とでウィンドウ１の幅を変えるようにしても良い。
【００１３】
ノイズ処理回路１２を通過した垂直同期信号ＶＳＹＮＣは検出処理回路１３に入力される。検出処理回路１３は、アップダウンカウンタ１３１およびデコーダ１３２がその順で配置された構成となっており、一定パルス幅以上の信号のみを垂直同期信号ＶＳＹＮＣとみなして、垂直同期信号検出パルスｖｒｅｓを出力する。これにより、前段のノイズ処理回路１２で除去できなかったウィンドウ１内のノイズについてより確実に除去できる。
【００１４】
このノイズ除去の処理に際して、アップダウンカウンタ１３１を用いる。このことにより、垂直同期信号ＶＳＹＮＣ内に混入したノイズの影響を無視できる。
ただし、垂直同期信号検出パルスｖｒｅｓの出力タイミングは、垂直同期信号ＶＳＹＮＣの変化点からｎライン後（ｎは整数）、例えば２ライン後とする。
【００１５】
同期分離回路１１で分離された水平同期信号ＨＳＹＮＣは、補正処理回路１４に入力される。補正処理回路１４は、ＰＬＬ（Ｐｈａｓｅ　Ｌｏｃｋｅｄ　Ｌｏｏｐ）回路２１、デコーダ２２、ＯＲ回路２３Ａ，２３Ｂ、カウンタ２４、デコーダ２５、カウンタ２６、デコーダ２７、ウィンドウ生成回路２８、モード判別回路２９、フィールド情報生成回路３０および補正垂直同期信号生成回路３１を有する構成となっている。
【００１６】
ＰＬＬ回路２１およびデコーダ２２により、水平同期信号ＨＳＹＮＣ基準の１Ｈの０％、２５％、５０％、７５％の信号がそれぞれ生成される。ＯＲ回路２３Ａは、０％の信号と５０％の信号との論理和をとる。ＯＲ回路２３Ｂは、２５％の信号と７５％の信号との論理和をとる。ＯＲ回路２３Ａの論理和信号は補正垂直同期信号生成回路３１に入力される。ＯＲ回路２３Ｂの論理和信号は、ｈｓｙｎｃ２として第１，第２のカウンタ２４，２６にそれぞれ入力される。論理和信号ｈｓｙｎｃ２は、水平同期信号ＨＳＹＮＣの周波数、即ち水平走査周波数の２倍の周波数を持っている。
【００１７】
カウンタ２４は、補正垂直同期信号生成回路３１で生成される後述する補正垂直同期信号（以下、「補正ｖｒｅｓ」と記す）によりリセットされ、論理和信号ｈｓｙｎｃ２に同期して、即ち水平走査周波数の２倍の周波数でカウント動作を行うことにより、フィールド内のライン数をカウントする。カウンタ２４のカウント結果は、デコーダ２５を介してカウンタ２６に与えられる。
【００１８】
カウンタ２６は、カウンタ２４のカウント結果によってリセットされ、論理和信号ｈｓｙｎｃ２に同期して、即ち水平走査周波数の２倍の周波数でカウント動作を行う。このカウンタ２６のカウント結果は、デコーダ２７を介してウィンドウ生成回路２８、フィールド情報生成回路３０および補正垂直同期信号生成回路３１にそれぞれ与えられる。
【００１９】
ウィンドウ生成回路２８は、カウンタ２６のカウント結果に基づいて、次段のモード判別回路２９で用いるモード判別用ウィンドウを生成する。モード判別回路２９は、ウィンドウ生成回路２８で生成されたモード判別用ウィンドウを用いて、検出処理回路１３から与えられる垂直同期信号検出パルスｖｒｅｓに同期してモード判別を行う。フィールド情報生成回路３０は、カウンタ２６のカウント結果に基づいて、垂直同期信号検出パルスｖｒｅｓに同期してフィールド情報の生成を行う。補正垂直同期信号生成回路３１は、カウンタ２６のカウント結果、モード判別回路２９の判別結果およびフィールド情報生成回路３０での生成情報に基づいて補正垂直同期信号（補正ｖｒｅｓ）を生成する。
【００２０】
図２は、ウィンドウ生成回路２８におけるモード判別用ウィンドウ生成のタイミングチャートである。ウィンドウ生成回路２８は、第１，第２，第３のウィンドウ２，３，４の３つのウィンドウを生成する。ウィンドウ２は、標準テレビジョン信号と同じ周期を示すウィンドウである。ウィンドウ２の幅は１／２Ｈ分であり、１フィールドが２６２．５ラインであるテレビジョン信号であれば、カウンタ２４が２倍の５２５をカウントしているときがこれに当たる。
【００２１】
ウィンドウ３は、標準テレビジョン信号周期の近傍を示すウィンドウである。
ウィンドウ３の幅としては、ウィンドウ２の前後、例えば１／２Ｈ分等の幅が設定される。ウィンドウ４は、標準テレビジョン信号周期からずれていることを示すウィンドウである。ウィンドウ４の幅としては、例えばウィンドウ３の外側で垂直同期信号ＶＳＹＮＣがマスクされていない領域までなどが設定される。
【００２２】
モード判別回路２９は、通常モード、特殊モードおよび無信号モードの各モードの判別を行う。ここで、通常モードは、標準テレビジョン信号が入力されている状態を表している。特殊モードは、非標準テレビジョン信号が入力されている状態を表している。無信号モードは、垂直同期信号ＶＳＹＮＣが入力されていない状態を表している。先述したモード生成回路１５は、このモード判別回路２９の判別結果に基づいて各モードを示すモード信号を出力することになる。
【００２３】
図３は、通常モード、特殊モードおよび無信号モードの各モードの状態遷移図である。電源投入時は、例えば特殊モードから始まるものとする。モード判別回路２９は、特殊モード状態において、検出処理回路１３から出力される垂直同期信号検出パルスｖｒｅｓを連続して規定回数ウィンドウ２内で検出した場合、入力垂直同期信号ＶＳＹＮＣが標準テレビジョン信号であるとみなして通常モードに移行する。ここでの規定回数は、例えば４回などである。
【００２４】
モード判別回路２９は、通常モード状態において、垂直同期信号検出パルスｖｒｅｓをウィンドウ２内で検出している状態では、入力垂直同期信号ＶＳＹＮＣが標準テレビジョン信号であるとみなし、通常モード状態を維持する。一方、通常モード状態において、垂直同期信号検出パルスｖｒｅｓをウィンドウ２以外で検出した場合、モード判別回路２９は、入力垂直同期信号ＶＳＹＮＣが非標準テレビジョン信号であるとみなして、基本的には特殊モードに移行する。
【００２５】
ただし、モード判別回路２９は、垂直同期信号検出パルスｖｒｅｓをウィンドウ３内で検出した場合は、直ぐには特殊モードに移行しない。これは、垂直同期信号ＶＳＹＮＣがジッタを持っていたり、何らかのノイズ等の影響により、標準テレビジョン信号の周期と微妙にずれた場合を無視するためである。そのため、垂直同期信号検出パルスｖｒｅｓをウィンドウ３内で検出したときは、所定の待機期間が経過した後に特殊モードに移行する。
【００２６】
ここで、所定の待機期間を設定するためには、例えば、アップダウンカウンタを使用する。そして、ウィンドウ２内で垂直同期信号検出パルスｖｒｅｓを検出した場合はアップダウンカウンタをカウントダウンし、ウィンドウ３内で検出した場合はアップダウンカウンタをカウントアップし、当該アップダウンカウンタのカウント値が規定値（例えば、ＭＳＢ＝１）になったときに、特殊モードに移行するようにする。
【００２７】
通常モード時、あるいは特殊モード時において、モード判別回路２９は、垂直同期信号検出パルスｖｒｅｓを連続して規定回数ウィンドウ２〜ウィンドウ４の中で検出しなかった場合は、垂直同期信号ＶＳＹＮＣが入力されていないとみなして、無信号モードに移行する。ここでの規定回数は、例えば３回などである。
垂直同期信号検出パルスｖｒｅｓを検出しなかったときに直ぐに無信号モードに移行しない理由は、弱電界時やノイズ等の影響により垂直同期信号が欠落することがあり、この状態を無信号と判別しないようにするためである。
【００２８】
無信号モードの状態において、モード判別回路２９は、ウィンドウ２〜ウィンドウ４の内外にかかわらず、垂直同期信号検出パルスｖｒｅｓを検出したら特殊モードに移行する。
【００２９】
図４は、フィールド情報生成回路３０の具体的な構成の一例を示すブロック図である。このフィールド情報生成回路３０は、過去のフィールド情報より次のフィールドを予想する回路である。
【００３０】
垂直同期信号ＶＳＹＮＣには、片フィールド（奇数フィールド、または偶数フィールド）しか存在しない場合と両フィールド（奇数フィールド、および偶数フィールド）が存在する場合とがある。片フィールドのみの垂直同期信号の場合、１フィールドに含まれるライン数は整数になる。また、両フィールドを持つ垂直同期信号の場合は、１フィールドに含まれるライン数は整数ではなく、１／２ラインを含む。例えば、片フィールドの場合は２６２ライン、両フィールドの場合は２６２．５ラインなどである。
【００３１】
フィールド情報生成回路３０でのフィールド情報やフィールド予想結果は、垂直同期信号が片フィールドであるか両フィールドであるか示す情報である。このフィールド情報生成回路３０は、フィールド情報生成部４１およびフィールド予想生成部４２から構成されている。
【００３２】
フィールド情報生成部４１は、カウンタ４１１、デコーダ４１２およびＤ型フリップフロップ４１３から構成されている。カウンタ４１１は、垂直同期信号検出パルスｖｒｅｓによりリセットされ、水平走査期間をカウントする。デコーダ４１２は、カウンタ４１１のカウント結果に基づいて、水平同期信号ＨＳＹＮＣ基準の１Ｈの２５％〜７５％のウィンドウ５を生成する。
【００３３】
Ｄ型フリップフロップ４１３は、ウィンドウ５をＤ（データ）入力、垂直同期信号検出パルスｖｒｅｓをｅｎ（イネーブル）入力とし、垂直同期信号検出パルスｖｒｅｓがウィンドウ５内にあるときは垂直同期信号ＶＳＹＮＣが両フィールドを持つとみなし、垂直同期信号検出パルスｖｒｅｓがウィンドウ５の外にあるときは垂直同期信号ＶＳＹＮＣが片フィールドであるとみなし、この判断結果をフィールド情報Ｓ２として出力する。
【００３４】
フィールド予想生成部４２は、アップダウンカウンタ４２１およびデコーダ４２２によって構成されている。アップダウンカウンタ４２１は、フィールド情報生成部４１で生成されたフィールド情報Ｓ２をアップ／ダウンカウントする。例えば、片フィールドの場合はカウントアップし、両フィールドの場合はカウントダウンする。そして、アップダウンカウンタ４２１のカウント値をデコーダ４２２に与える。
【００３５】
デコーダ４２２は、あるしきい値を持ち、アップダウンカウンタ４２１のカウント値が当該しきい値より上か下かでフィールド予想結果Ｓ３を出力する。具体的には、アップダウンカウンタ４２１のＭＳＢが論理“１”のときは片フィールドと予想し、論理“０”のときは両フィールドと予想して、フィールド予想結果Ｓ３を出力する。
【００３６】
なお、垂直同期信号ＶＳＹＮＣが入力されなかった場合は、フィールド情報生成回路３０においては、フィールド情報Ｓ２およびフィールド予想結果Ｓ３は更新せず、前の情報を保持する。
【００３７】
図５は、補正処理回路１４における通常モード時および無信号モード時の補正垂直同期信号（補正ｖｒｅｓ）生成のタイミングチャートである。このタイミングチャートを用いて、通常モード時および無信号モード時に補正ｖｒｅｓを生成する際の補正処理回路１４の回路動作について以下に説明する。
【００３８】
ＰＬＬ回路２１およびデコーダ２２により、水平同期信号ＨＳＹＮＣ基準の１ラインの０％、５０％の信号を生成する。これらの信号の論理和をＯＲ回路２３Ａでとり、その論理和出力を信号Ｓ１とする。この信号Ｓ１のタイミングで補正ｖｒｅｓを生成する。この補正ｖｒｅｓは、時間軸方向の位置が水平同期信号ＨＳＹＮＣの近傍かその中間にあるため、後段でのフィールド判別等を安定して行うことができる。
【００３９】
無信号モード時の場合には、垂直同期信号検出パルスｖｒｅｓが入力されないため、カウンタ２６のカウント結果と信号Ｓ１を用いることにより補正ｖｒｅｓを生成する。これにより、任意の周期の補正ｖｒｅｓを生成できる。また、ウィンドウ２と信号Ｓ１を用いて補正ｖｒｅｓを生成すれば、無信号モード時でも標準テレビジョン信号の周期で補正ｖｒｅｓを生成することができる。
【００４０】
標準モード時の場合、ウィンドウ２と信号Ｓ１を用いて補正ｖｒｅｓを生成する。これにより、垂直同期信号ＶＳＹＮＣにジッタが含まれていたとしても、安定した補正ｖｒｅｓを生成することができる。また、弱電界時やノイズなどにより垂直同期信号ＶＳＹＮＣが欠落しても、安定した補正ｖｒｅｓを生成することができる。
【００４１】
図６〜図８は、補正処理回路１４における特殊モード時の補正ｖｒｅｓ生成のタイミングチャートである。これらタイミングチャートを用いて、特殊モード時に補正ｖｒｅｓを生成する際の補正処理回路１４の回路動作について以下に説明する。
【００４２】
先ず、ＰＬＬ回路２１およびデコーダ２２により、図６のタイミングチャートに示すように、水平同期信号ｈｓｙｎｃ２の前後に一定幅のウィンドウ６およびウィンドウ７を生成する。これらウィンドウ６，７は、例えば１Ｈの５％等の幅に設定される。これらは、垂直同期信号ＶＳＹＮＣが正規のタイミングよりも１Ｈの２５％前後ずれたことを検出する目的で生成されるウィンドウである。
【００４３】
また、図８のタイミングチャートに示すように、カウンタ２６のＬＳＢと先述したフィールド予想結果Ｓ３を用いて、本来垂直同期信号検出パルスｖｒｅｓが入力されるべき範囲を示す信号Ｓ４を生成する。フィールド予想結果Ｓ３から、次の垂直同期信号が片フィールドのみの信号なのか、両フィールドを含んだ信号なのか判別できる。
【００４４】
片フィールドの場合は、１フィールド内に含まれるライン数は整数である。カウンタ２４は、水平走査周波数の２倍の周波数でカウント動作を行うため、当該カウンタ２４のカウント値が偶数のときに垂直同期信号検出パルスｖｒｅｓが入力される。また、両フィールドの場合は、１フィールド内に含まれるライン数は１／２ラインを含むため、カウンタ２４のカウント値が奇数のときに垂直同期信号検出パルスｖｒｅｓが入力される。この性質を利用して、信号Ｓ４を生成している。
【００４５】
図８は、両フィールドが予想される場合の例である。本来垂直同期信号検出パルスｖｒｅｓが入力されるべき範囲内（Ｓ４内）の信号Ｓ１を信号Ｓ５とする。垂直同期信号検出パルスｖｒｅｓがウィンドウ６とウィンドウ７の外側で検出されたときは、図７のタイミングチャートに示すように、入力された垂直同期信号検出パルスｖｒｅｓをそのまま補正ｖｒｅｓとする。
【００４６】
垂直同期信号検出パルスｖｒｅｓがウィンドウ６あるいはウィンドウ７の中で検出されたときは、次の信号Ｓ５のタイミングで補正ｖｒｅｓを生成する。カウンタ２４は、補正ｖｒｅｓによってリセットされるが、図８のタイミングチャートにおいて、Ｂの場合は問題ないが、Ａの場合は本来生成される補正ｖｒｅｓのタイミングよりも１ライン分遅れることになる。そのため、カウンタ２４をリセットする際は、これを考慮する必要がある。また、後段で補正ｖｒｅｓを使用するところにおいても、このことを考慮する必要がある。
【００４７】
この生成された補正ｖｒｅｓは、時間軸方向の位置が水平同期信号ＨＳＹＮＣの近傍かその中間にあるため、後段でのフィールド判別等を安定して行うことができる。
【００４８】
上述したように、本実施形態に係る垂直同期信号処理回路においては、非標準テレビジョン信号が入力されている状態である特殊モードのときは、過去のフィールド情報を基に次のフィールドを予想し、そのフィールドに対応した処理を行って補正垂直同期信号を生成するようにしたので、垂直同期信号ＶＳＹＮＣの変化点が想定されるタイミング（水平同期信号ＨＳＹＮＣの近傍、あるいはその中間）から１Ｈの２５％以上前後した場合でも、安定した垂直同期信号ＶＳＹＮＣを得ることができる。
【００４９】
したがって、本実施形態に係る垂直同期信号処理回路を用いることにより、安定した標準テレビジョン信号に対しても、不安定な非標準テレビジョン信号に対しても、安定した垂直同期信号ＶＳＹＮＣを提供することができる。つまり、標準テレビジョン信号でも非標準テレビジョン信号でも無信号でも、また、垂直同期信号ＶＳＹＮＣにおいて水平同期信号ＨＳＹＮＣに対する位相がずれたとしても、また、弱電界時などの不安定な同期信号でも、各ウィンドウ等の幅やカウンタを適切に調整することで、安定した垂直同期信号ＶＳＹＮＣを得ることができる。
【００５０】
また、いろいろな画像表示装置や、いろいろな入力テレビジョン信号のフォーマットに対しても、各ウィンドウ等の幅やカウンタを適切に調整することで、安定な垂直同期信号ＶＳＹＮＣを得ることができる。さらに、テレビジョン信号に拘わらず、同期信号を用いて画像表示を行うシステムに対しても、各ウィンドウ等の幅やカウンタを適切に調整することで、安定な垂直同期信号ＶＳＹＮＣを得ることができる。
【００５１】
【発明の効果】
以上説明したように、本発明によれば、非標準テレビジョン信号が入力されている状態である特殊モードのときは、過去のフィールド情報を基に次のフィールドを予想し、そのフィールドに対応した処理を行って補正垂直同期信号を生成するようにしたことで、垂直同期信号ＶＳＹＮＣの変化点が想定されるタイミング（水平同期信号ＨＳＹＮＣの近傍、あるいはその中間）から１Ｈの２５％以上前後した場合でも、安定した垂直同期信号を得ることができる。
【図面の簡単な説明】
【図１】本発明の一実施形態に係る垂直同期信号処理回路の構成例を示すブロック図である。
【図２】ウィンドウ生成回路におけるモード判別用ウィンドウ生成のタイミングチャートである。
【図３】通常モード、特殊モードおよび無信号モードの各モードの状態遷移図である。
【図４】フィールド情報生成回路の具体的な構成の一例を示すブロック図である。
【図５】補正垂直同期信号生成回路における通常モード時および無信号モード時の補正ｖｒｅｓ生成のタイミングチャートである。
【図６】補正垂直同期信号生成回路における特殊モード時の補正ｖｒｅｓ生成のタイミングチャート（その１）である。
【図７】補正垂直同期信号生成回路における特殊モード時の補正ｖｒｅｓ生成のタイミングチャート（その２）である。
【図８】補正垂直同期信号生成回路における特殊モード時の補正ｖｒｅｓ生成のタイミングチャート（その３）である。
【図９】従来の奇数フィールド／偶数フィールドの判別に用いるウィンドウを示すタイミングチャートである。
【図１０】従来技術の課題の説明に供するタイミングチャートである。
【符号の説明】
１１…同期分離回路、１２…ノイズ除去回路、１３…検出処理回路、１４…補正処理回路、２１…ＰＬＬ回路、２８…ウィンドウ生成回路、２９…モード判別回路、３０…フィールド情報生成回路、３１…補正垂直同期信号生成回路、４１…フィールド情報生成部、４２…フィールド予想生成部
【図１】
2004080590.tif 000003
【図２】
2004080590.tif 000004
【図３】
2004080590.tif 000005
【図４】
2004080590.tif 000006
【図５】
2004080590.tif 000007
【図６】
2004080590.tif 000008
【図７】
2004080590.tif 000009
【図８】
2004080590.tif 000010
【図９】
2004080590.tif 000011
【図１０】
2004080590.tif 000012